(57)【要約】【目的】補助光源からの光を、導光部材に効率よく供給することができる内視鏡の補助光源装置を提供する。【構成】主光源と、入射端面が該主光源と対向し、出射端面が内視鏡の先端部に設けられた照明用光学系と接続する導光部材と、上記主光源が点灯しているときは上記入射端面と対向しない退避位置に非点灯状態で位置し、上記主光源が非点灯状態になったときに上記導光部材の入射端面と主光源との間の使用位置に位置して点灯する補助光源と、上記補助光源が退避位置から使用位置に移動するとき、上記補助光源を、主光源の光軸と平行な方向に移動させて、導光部材の入射端面に接近させる接近移動機構と、を備えたことを特徴とする内視鏡の補助光源装置。【選択図】　　　図１４
2004141408.tif 000002
【特許請求の範囲】
【請求項１】
主光源と、
入射端面が該主光源と対向し、出射端面が内視鏡の先端部に設けられた照明用光学系と接続する導光部材と、
上記主光源が点灯しているときは上記入射端面と対向しない退避位置に非点灯状態で位置し、上記主光源が非点灯状態になったときに上記導光部材の入射端面と主光源との間の使用位置に位置して点灯する補助光源と、
上記補助光源が退避位置から使用位置に移動するとき、上記補助光源を、主光源の光軸と平行な方向に移動させて、導光部材の入射端面に接近させる接近移動機構と、
を備えたことを特徴とする内視鏡の補助光源装置。
【請求項２】
請求項１記載の内視鏡の補助光源装置において、上記補助光源は、上記主光源の光軸外に揺動支点を有する揺動アームの先端に支持されており、上記接近移動機構は、この揺動アームを主光源の光軸と平行な方向に移動させる内視鏡の補助光源装置。
【請求項３】
請求項２記載の内視鏡の補助光源装置において、上記移動機構が、
駆動源からの駆動力を受けて、上記補助光源を上記退避位置に位置させる非作動位置と、上記補助光源を上記使用位置に位置させる作動位置との間を、上記軸線と平行な軸回りに回転するとともに、上記軸線方向に揺動自在であり、かつ、上記補助光源を保持する揺動アームと、
該揺動アームと平行をなすように配設され、上記駆動源からの駆動力を受けて、上記軸線と直交する平面内で移動する移動板と、
上記揺動アームと移動板の対向面のいずれか一方に突設された突起と、
上記揺動アームと移動板の対向面の他方に穿設され、上記突起が移動自在に嵌合する長穴と、
該長穴の周縁部に形成され、上記揺動アームが上記作動位置に位置したときに上記突起の端面に接触することにより、上記揺動アームを揺動させて、上記補助光源を上記導光部材の入射端面に近づける傾斜面と、
を備えた内視鏡の補助光源装置。
【請求項４】
請求項３載の内視鏡の補助光源装置において、上記揺動アームと移動板の間に、揺動アームと移動板を離れる方向に付勢する付勢手段を設けた内視鏡の補助光源装置。
【発明の詳細な説明】
【０００１】
【技術分野】
本発明は、主光源の故障時に点灯する、内視鏡装置に設けられた補助光源装置に関する。
【０００２】
【従来技術及びその問題点】
内視鏡は、導光部材としてのファイババンドルを介して光源装置に接続されている。ファイババンドルの入射端面は、光源装置内に配設された主光源ランプと対向しており、ファイババンドルの出射端面は、内視鏡の挿入部先端に設けられた照明用光学系へと接続されている。主光源ランプから射出された光は、ファイババンドルを通って照明用光学系に導かれ、この照明用光学系から内視鏡の外部に向けて射出されて、体腔内や機械の内部を照らす（例えば、特許文献１）。
【０００３】
しかし、内視鏡の挿入部が体腔内や機械内に挿入された状態で主光源ランプが故障してしまうと、体腔内や機械内部での作業が不可能になってしまう。
【０００４】
そのため、通常、光源装置には、主光源ランプが故障した場合に作動する補助光源が設けられている。この補助光源は、常時は、ファイババンドルの入射端面とは対向しない退避位置に位置しており、主光源が故障すると、ファイババンドルの入射端面と対向する使用位置に移動して、ファイババンドルに光を供給する。
【０００５】
しかし従来の内視鏡では、補助光源の光源装置内への配置にあたっては、スペース効率を向上させるための工夫はなされているものの、補助光源からファイババンドルへ光を効率よく供給するための配慮はなされていなかったため、補助光源から発せられる光の伝達効率は良くなかった。
【０００６】
【特許文献１】
特開平１１−３０５１４８号公報
【０００７】
【発明の目的】
本発明は、補助光源からの光を、導光部材に効率よく供給することができる内視鏡の補助光源装置を提供することを目的とする。
【０００８】
【発明の概要】
本発明の内視鏡の補助光源装置は、主光源と、入射端面が該主光源と対向し、出射端面が内視鏡の先端部に設けられた照明用光学系と接続する導光部材と、上記主光源が点灯しているときは上記入射端面と対向しない退避位置に非点灯状態で位置し、上記主光源が非点灯状態になったときに上記導光部材の入射端面と主光源との間の使用位置に位置して点灯する補助光源と、上記補助光源が退避位置から使用位置に移動するとき、上記補助光源を、主光源の光軸と平行な方向に移動させて、導光部材の入射端面に接近させる接近移動機構と、を備えたことを特徴としている。
【０００９】
上記補助光源を、上記主光源の光軸外に揺動支点を有する揺動アームの先端に支持し、上記接近移動機構が、この揺動アームを主光源の光軸と平行な方向に移動させるようにするのが良い。
【００１０】
さらに、上記移動機構を、駆動源からの駆動力を受けて、上記補助光源を上記退避位置に位置させる非作動位置と、上記補助光源を上記使用位置に位置させる作動位置との間を、上記軸線と平行な軸回りに回転するとともに、上記軸線方向に揺動自在であり、かつ、上記補助光源を保持する揺動アームと、該揺動アームと平行をなすように配設され、上記駆動源からの駆動力を受けて、上記軸線と直交する平面内で移動する移動板と、上記揺動アームと移動板の対向面のいずれか一方に突設された突起と、上記揺動アームと移動板の対向面の他方に穿設され、上記突起が移動自在に嵌合する長穴と、該長穴の周縁部に形成され、上記揺動アームが上記作動位置に位置したときに上記突起の端面に接触することにより、上記揺動アームを揺動させて、上記補助光源を上記導光部材の入射端面に近づける傾斜面と、を備えたものとすることが実際的である。
【００１１】
さらに、上記揺動アームと移動板の間に、両者を離れる方向に付勢する付勢手段を設けるのが好ましい。
【００１２】
【発明の実施の形態】
以下、本発明を電子内視鏡１０に適用した一実施形態について説明する。
図１に示す電子内視鏡１０は、操作部１１と挿入部１２を有し、挿入部１２の先端部は、操作部１１に設けた湾曲操作装置１３の操作に応じて上下及び左右方向に湾曲される湾曲部１２ａとなっている。湾曲部１２ａ先端には、図示しない観察窓（対物窓）と照明光学系が設けられている。
操作部１１からはユニバーサルチューブ１４が延びており、このユニバーサルチューブ１４の先端に設けられたコネクタ部１４ａが、プロセッサ１５に接続されている。
【００１３】
図１３、図１４に示すように、プロセッサ１５の内部には主光源ランプ（主光源）１６が配設されている。主光源ランプ１６はプロセッサ１５に設けられたスイッチ（図示略）のＯＮ・ＯＦＦ操作により点灯または消灯するものであり、挿入部１２の体腔内や機械の内部への挿入時には常時点灯させるものである。
コネクタ部１４ａとユニバーサルチューブ１４と操作部１１と挿入部１２の内部にはファイババンドル（導光部材）１７が配設されており、その先端に形成された出射端面が、挿入部１２の先端内部において上記照明光学系に接続されている。コネクタ部１４ａに突設された光源差込用端部１４ｂをプロセッサ１５の差込口に接続すると、その内部に配設されたファイババンドル１７の入射端面１７ａが、主光源ランプ１６と所定距離だけ離れた状態で対向するようになる。
そして、主光源ランプ１６を点灯すると、照明光学系には主光源ランプ１６からの照明用光が送られ、挿入部１２先端の観察窓を介して得られる画像が、プロセッサ１５に接続されたテレビモニタ（図示略）に映し出されるようになる。
【００１４】
さらに、プロセッサ１５の内部には、挿入部１２を体腔内等へ挿入中に、主光源ランプ１６が故障して光が出なくなった場合に、主光源ランプ１６の代わりにファイババンドル１７に光を供給する補助光源装置１８が配設されている。
【００１５】
補助光源装置１８は以下のような構成となっている。
プロセッサ１５の内壁上面には、光源差込用端部１４ｂに対して直交する（上下方向を向く）取付板１９が固定されており、取付板１９の下端部にはファイババンドル１７と平行な水平片２０が設けられており、さらに、水平片２０の一端には垂下片２１が設けられている。
垂下片２１の主光源ランプ１６側の面には、図示を省略したＣＰＵに接続されたロータリーソレノイド（駆動源）Ｓが固着されており、さらに、ロータリーソレノイドＳの出力軸（図示略）には回動部材２２が枢着されている。この回動部材２２は、円形部２３と、円形部２３の周面から突出する略三角形状の出力部２４とを具備するものであり、円形部２３の中心部がロータリーソレノイドＳの出力軸である回転軸に直接固定されている。
【００１６】
水平片２０の長手方向の中央部には取付片２５が垂設されており、取付片２５の主光源ランプ１６側の面には回転軸２５ａが突設されている。
この回転軸２５ａは、取付板１９と平行な移動板２６の長穴２６ａに相対移動自在に嵌合している。移動板２６の端部には円形穴２６ｂが穿設されており、この円形穴２６ｂは、出力部２４に突設された出力軸２３ａに回転自在に嵌合している。さらに、移動板２６には、長穴２６ａと略平行な小径長穴２６ｃが穿設されており、小径長穴２６ｃの一方の端部側の周縁部は、主光源ランプ１６側から取付片２５側に向かうにつれて小径長穴２６ｃの径を小さくする傾斜面２６ｄとなっている。
【００１７】
回転軸２５ａの先端部は長穴２６ａを貫通して、移動板２６より主光源ランプ１６側に突き出しており、この先端部には、取付板１９と平行で略Ｌ字形に屈曲された揺動アーム２７の回転中心穴２７ａが、回転自在に嵌合している。この回転中心穴２７ａと回転軸２５ａの先端部とは、若干のクリアランスをもって嵌合しており、さらに、回転軸の先端部には、圧縮コイルばね（付勢手段）２８を介在させてキャップ２９が嵌め込まれている（図５参照）ので、揺動アーム２７は回転軸２５ａに対して、回転軸２５ａと平行な方向に、弾力性をもって揺動自在となっている。
【００１８】
揺動アーム２７の一方の端部には、中間部が若干屈曲された長穴２７ｂが穿設されており、この長穴２７ｂには出力軸２３ａの先端部が、相対移動自在に嵌合している。
また、揺動アーム２７の小径長穴２６ｃとの対向部には突起２７ｃ（図４参照）が突設されており、この突起２７ｃは小径長穴２６ｃに相対移動自在に嵌合している。
さらに、揺動アーム２７の他方の端部のファイババンドル１７側の面には、上記ＣＰＵに接続された補助光源３０が取り付けられている。
なお、上記の取付板１９、ロータリーソレノイドＳ、回動部材２２、移動板２６、及び揺動アーム２７により接近移動機構が構成されている。さらに、回転軸２５ａ、移動板２６、及び揺動アーム２７により揺動機構が構成されている。
【００１９】
次に、補助光源装置１８の動作を説明する。
図６、図８、図１０に示すように、主光源ランプ１６が点灯中のときは、補助光源３０は消灯しており、ロータリーソレノイドＳは非作動状態にある。このため、揺動アーム２７は非作動位置にあり、補助光源３０はファイババンドル１７の入射端面１７ａと対向する位置から側方にずれた退避位置にある。
【００２０】
主光源ランプ１６が故障により切れると、ＣＰＵがこれを検知し、補助光源３０を発光させるとともに、ロータリーソレノイドＳを作動させる。ロータリーソレノイドＳが作動すると、揺動アーム２７が回転軸２５ａを中心に図１０の時計方向に回動するとともに、移動板２６も回転軸２５ａと長穴２６ａとの接触部を中心に回動し、揺動アーム２７は図１１に示す中間位置を経由して作動位置（図７、図９、図１２の位置）側に移動する。
揺動アーム２７が作動位置に到達する直前に、補助光源３０は入射端面１７ａと対向するようになり、その直後に、小径長穴２６ｃに嵌合している突起２７ｃの端面が傾斜面２６ｄに接触する。すると、傾斜面２６ｄが主光源ランプ１６側に押圧され、揺動アーム２７の補助光源３０を支持している側の端部（回転中心穴２７ａを挟んで突起２７ｃと反対側にある側の端部）が入射端面１７ａ側に傾斜するので、揺動アーム２７は傾斜しながら作動位置（図７、図９、図１２）に達し、補助光源３０はファイババンドル１７の入射端面１７ａ側に近づきながら使用位置に到達する（図１４参照）。
この結果、補助光源３０からの照明用光が挿入部１２の先端から照射されるようになる。
【００２１】
なお、挿入部１２を体腔内等から完全に引き抜いた後に、プロセッサ１５の電源をＯＦＦにすれば、補助光源３０が自動的に消灯するとともに、ロータリーソレノイドＳが元の位置に復帰し、補助光源３０が退避位置に復帰する。
【００２２】
このように、補助光源３０を使用する時に、補助光源３０をファイババンドル１７の入射端面１７ａに近づけると、補助光源３０と入射端面１７ａの距離が長い場合に比べて、補助光源３０から出射された全光量のうち入射端面１７ａに入る光量の割合が上がるので、補助光源３０からの光の利用率を向上させることができる。
【００２３】
さらに本実施形態では、上述のように、揺動アーム２７が回転軸２５ａに対して、回転軸２５ａと平行な方向に、弾力性をもって揺動自在となっているので、補助光源３０を入射端面１７ａに近づけすぎ、その結果、補助光源３０が光源差込用端部１４ｂの端部に接触したとしても、補助光源３０が損傷することはない。このため、補助光源３０を入射端面１７ａに極限まで近づけることができる。
【００２４】
また、揺動アーム２７を非作動位置から作動位置へ移動させる際に、最初から揺動アーム２７を傾斜させながら作動位置へ移動させるのではなく、一端揺動アーム２７を作動位置の直前にまで平行移動させて、補助光源３０を入射端面１７ａと対向させてから、揺動アーム２７をファイババンドル１７の軸線に対して傾斜させているので、揺動アーム２７を作動位置に移動させた時に補助光源３０が光源差込用端部１４ｂの端部に接触しても、補助光源３０とこの端部とが擦れ合うことはない。
【００２５】
【発明の効果】
本発明によれば、補助光源からの光を、導光部材に効率よく供給できるようになる。
【図面の簡単な説明】
【図１】本発明の一実施形態の全体構造を示す外観図である。
【図２】移動板と揺動アームを取り外した状態の補助光源装置を主光源ランプ側から見たときの分解斜視図である。
【図３】移動板を回動部材に取り付けた状態の補助光源装置を主光源ランプ側から見たときの分解斜視図である。
【図４】揺動アームを取り外した状態の補助光源装置を、ファイババンドル側から見たときの分解斜視図である。
【図５】キャップと圧縮コイルばねを取り外した状態の補助光源装置を、ファイババンドル側から見たときの分解斜視図である。
【図６】揺動アームが非作動位置にある時（補助光源が退避位置にある時）の補助光源装置を、ファイババンドル側から見た斜視図である。
【図７】揺動アームが作動位置にある時（補助光源が使用位置にある時）の補助光源装置を、ファイババンドル側から見た斜視図である。
【図８】揺動アームが非作動位置にある時の補助光源装置の背面図である。
【図９】揺動アームが作動位置にある時の補助光源装置の背面図である。
【図１０】揺動アームが非作動位置にある時の補助光源装置の要部の正面図である。
【図１１】揺動アームが中間位置にある時の補助光源装置の要部の正面図である。
【図１２】揺動アームが作動位置にある時の補助光源装置の要部の正面図である。
【図１３】揺動アームが非作動位置にある時の補助光源装置の側面図である。
【図１４】揺動アームが作動位置にある時の補助光源装置の側面図である。
【符号の説明】
１０　　内視鏡
１１　　操作部
１２　　挿入部
１２ａ　湾曲部
１３　　湾曲操作装置
１４　　ユニバーサルチューブ
１４ａ　コネクタ部
１４ｂ　光源差込用端部
１５　　プロセッサ
１６　　主光源ランプ（主光源）
１７　　ファイババンドル（導光部材）
１７ａ　入射端面
１８　　補助光源装置
１９　　取付板（接近移動機構）
２０　　水平片
２１　　垂下片
２２　　回動部材（接近移動機構）
２３　　円形部
２３ａ　出力軸
２４　　出力部
２５　　取付片
２５ａ　回転軸
２６　　移動板（接近移動機構）
２６ａ　長穴
２６ｂ　円形穴
２６ｃ　小径長穴
２６ｄ　傾斜面
２７　　揺動アーム（接近移動機構）
２７ａ　回転中心穴
２７ｂ　長穴
２７ｃ　突起
２８　　圧縮コイルばね（付勢手段）
２９　　キャップ
３０　　補助光源
Ｓ　　　ロータリーソレノイド（接近移動機構）
【図１】
2004141408.tif 000003
【図２】
2004141408.tif 000004
【図３】
2004141408.tif 000005
【図４】
2004141408.tif 000006
【図５】
2004141408.tif 000007
【図６】
2004141408.tif 000008
【図７】
2004141408.tif 000009
【図８】
2004141408.tif 000010
【図９】
2004141408.tif 000011
【図１０】
2004141408.tif 000012
【図１１】
2004141408.tif 000013
【図１２】
2004141408.tif 000014
【図１３】
2004141408.tif 000015
【図１４】
2004141408.tif 000016